(57)【特許請求の範囲】
【請求項１】
基地局であって、
通信フレームのうちで、リファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
前記判断部による判断結果を、前記基地局より送信電力が低く、前記セル内に配置される低送信電力型の基地局に通知する通知部と、
を備え、
前記判断部は、前記基地局により前記送信制限フレームに設定されており、前記隣接基地局によって送信制限フレームに設定されていない非統一な通信フレームの干渉保護状態を、前記低送信電力型の基地局の位置情報に基づいて判断する、基地局。
【請求項２】
前記判断部は、
前記基地局および前記隣接基地局のいずれによっても前記送信制限フレームに設定されている通信フレームを保護フレームと判断し、
前記基地局および前記隣接基地局のいずれによっても前記送信制限フレームに設定されていない通信フレームを非保護フレームと判断する、請求項１に記載の基地局。
【請求項３】
前記判断部は、
前記基地局により前記送信制限フレームに設定されている通信フレームを、前記送信制限フレームに設定していない隣接基地局が存在する場合、当該通信フレームを不確定フレームと判断する、請求項１または２に記載の基地局。
【請求項４】
前記判断部は、
前記基地局または前記隣接基地局のいずれかにより前記送信制限フレームに設定されている通信フレームを、前記送信制限フレームに設定していない前記基地局または前記隣接基地局が存在する場合、当該通信フレームを不確定フレームと判断する、請求項１または２に記載の基地局。
【請求項５】
前記判断部は、前記低送信電力型の基地局が前記基地局から所定範囲内に存在する場合、前記非統一な通信フレームを保護フレームと判断する、請求項１に記載の基地局。
【請求項６】
前記判断部は、前記低送信電力型の基地局が前記基地局から所定範囲外に存在する場合、前記非統一な通信フレームを非保護フレームまたは不確定フレームと判断する、請求項１または５に記載の基地局。
【請求項７】
通信フレームのうちで、基地局からのリファレンス信号以外の送信が制限される送信制限フレームを設定することと、
隣接基地局の送信制限フレームの設定情報を受信することと、
前記基地局に設定された送信制限フレームと、前記隣接基地局の送信制限フレームに基づいて、前記基地局が提供するセルにおける各通信フレームの干渉保護状態を判断することと、
判断結果を、前記基地局より送信電力が低く、前記セル内に配置される低送信電力型の基地局に通知することと、
を含み、
前記干渉保護状態を判断することは、前記基地局により前記送信制限フレームに設定されており、前記隣接基地局によって送信制限フレームに設定されていない非統一な通信フレームの干渉保護状態を、前記低送信電力型の基地局の位置情報に基づいて判断することを含む、通信方法。
【請求項８】
コンピュータを、
基地局であって、
通信フレームのうちで、リファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
前記判断部による判断結果を、前記基地局より送信電力が低く、前記セル内に配置される低送信電力型の基地局に通知する通知部と、
を備え、
前記判断部は、前記基地局により前記送信制限フレームに設定されており、前記隣接基地局によって送信制限フレームに設定されていない非統一な通信フレームの干渉保護状態を、前記基地局より送信電力が低く、前記低送信電力型の基地局の位置情報に基づいて判断する、基地局として機能させるための、プログラム。
【発明の詳細な説明】
【技術分野】
【０００１】
本開示は、基地局、通信方法およびプログラムに関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）において、無線通信のさらなるパフォーマンスの向上を達成するために、次世代型無線通信であるＬＴＥの規格策定作業が行われている。このＬＴＥでは、Ｈｏｍｅ  ｅＮｏｄｅＢ（フェムトセル基地局、携帯電話用小型基地局）、ＲＲＨ（リモートラジオヘッド）およびピコｅＮｏｄｅＢなど、マクロｅＮｏｄｅＢ以外の基地局の導入によりカバレッジを向上させることも検討されている。このような次世代型無線通信については例えば特許文献１にも開示されている。
【０００３】
また、ＬＴＥのＲｅｌ１０では、ＡＢＳ（Ａｌｍｏｓｔ  Ｂｌａｎｋ  Ｓｕｂｆｒａｍｅ）という干渉制御方法が規格化された。ＡＢＳは、一部のサブフレームにおいてマクロｅＮｏｄｅＢからのリファレンス信号以外の送信を制限すること、または、マクロｅＮｏｄｅＢからのリファレンス信号以外の送信が制限されるサブフレームである。このＡＢＳに設定されたサブフレームでは、マクロｅＮｏｄｅＢが提供するセル内のピコｅＮｏｄｅＢに属するＵＥ（Ｕｓｅｒ  Ｅｑｕｉｐｍｅｎｔ）の受信信号に対する干渉を減少させることが可能である。なお、隣接するマクロｅＮｏｄｅＢ間で同一のサブフレームに設定されることが想定されていた。
【先行技術文献】
【特許文献】
【０００４】
【特許文献１】特表２０１１−５２１５１２号公報
【発明の概要】
【発明が解決しようとする課題】
【０００５】
しかし、３ＧＰＰでは、マクロｅＮｏｄｅＢ間で異なるＡＢＳを設定することを許容するＭｕｌｔｉｐｌｅ＿ＡＢＳという技術が検討されている。Ｍｕｌｔｉｐｌｅ＿ＡＢＳが導入されると、隣接する複数のマクロｅＮｏｄｅＢのうちで、同一のサブフレームをＡＢＳに設定しているマクロｅＮｏｄｅＢと設定していないマクロｅＮｏｄｅＢが混在することになる。その結果、マクロｅＮｏｄｅＢがＡＢＳを設定していないサブフレームであっても、ピコｅＮｏｄｅＢに属するＵＥの受信信号は隣接するマクロｅＮｏｄｅＢから干渉を受けてしまう場合が考えられる。
【０００６】
そこで、本開示では、各通信フレームの干渉からの保護状態を適切に判断することが可能な、新規かつ改良された基地局、通信方法およびプログラムを提案する。
【課題を解決するための手段】
【０００７】
本開示によれば、基地局であって、通信フレームのうちで、リファレンス信号以外の送信が制限される送信制限フレームを設定する設定部と、隣接基地局の送信制限フレームの設定情報を受信する設定情報受信部と、前記設定部により設定された送信制限フレームと、前記隣接基地局の送信制限フレームに基づいて、前記基地局が提供するセルにおける各通信フレームの干渉保護状態を判断する判断部と、を備える基地局が提供される。
【０００８】
また、本開示によれば、通信フレームのうちで、基地局からのリファレンス信号以外の送信が制限される送信制限フレームを設定することと、隣接基地局の送信制限フレームの設定情報を受信することと、前記基地局に設定された送信制限フレームと、前記隣接基地局の送信制限フレームに基づいて、前記基地局が提供するセルにおける各通信フレームの干渉保護状態を判断することと、を含む通信方法が提供される。
【０００９】
また、本開示によれば、コンピュータを、通信フレームのうちで、基地局からリファレンス信号以外の送信が制限される送信制限フレームを設定する設定部と、隣接基地局の送信制限フレームの設定情報を受信する設定情報受信部と、前記設定部により設定された送信制限フレームと、前記隣接基地局の送信制限フレームに基づいて、前記基地局が提供するセルにおける各通信フレームの干渉保護状態を判断する判断部と、として機能させるためのプログラムが提供される。
【発明の効果】
【００１０】
以上説明したように本開示によれば、各通信フレームの干渉からの保護状態を適切に判断することができる。
【図面の簡単な説明】
【００１１】
【図１】本開示の実施形態による通信システムの構成を示した説明図である。
【図２】４Ｇのフレームフォーマットを示した説明図である。
【図３】ピコｅＮｏｄｅＢのレンジ拡張エリアを示した説明図である。
【図４】ＡＢＳに設定されたサブフレームを示す説明図である。
【図５】ＭＢＳＦＮ型のＡＢＳに設定されたサブフレームを示す説明図である。
【図６】Ｃｏｎｆｉｇｕｒａｔｉｏｎの具体例を示した説明図である。
【図７】本開示の第１の実施形態によるｅＮｏｄｅＢの構成を示した機能ブロック図である。
【図８】干渉判断部による判断の具体例を示した説明図である。
【図９】本開示の第１の実施形態によるｅＮｏｄｅＢの動作を示したフローチャートである。
【図１０】干渉判断部による判断の変形例を示した説明図である。
【図１１】変形例による動作を示したフローチャートである。
【図１２】第１の実施形態の応用例を示した説明図である。
【図１３】本開示の第２の実施形態によるｅＮｏｄｅＢの構成を示した機能ブロック図である。
【図１４】ｅＮｏｄｅＢおよびピコｅＮｏｄｅＢの配置の一例を示した説明図である。
【図１５】本開示の第２の実施形態によるｅＮｏｄｅＢの動作を示したフローチャートである。
【図１６】本開示の第３の実施形態によるピコｅＮｏｄｅＢの構成を示した説明図である。
【図１７】本開示の第３の実施形態によるＵＥの構成を示した機能ブロック図である。
【図１８】本開示の第３の実施形態による信号品質の測定の具体例を示した説明図である。
【図１９】信号品質測定の応用例を示した説明図である。
【図２０】本開示の第３の実施形態による通信システムの動作を示したシーケンス図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＵＥ２０Ａ、２０Ｂおよび２０Ｃのように区別する。ただし、実質的に同一の機能構成を有する複数の構成要素の各々を特に区別する必要がない場合、同一符号のみを付する。例えば、ＵＥ２０Ａ、２０Ｂおよび２０Ｃを特に区別する必要が無い場合には、単にＵＥ２０と称する。
【００１４】
また、以下に示す項目順序に従って本開示を説明する。
１．通信システムの基本構成
２．第１の実施形態
２−１．第１の実施形態によるｅＮｏｄｅＢの構成
２−２．第１の実施形態によるｅＮｏｄｅＢの動作
２−３．応用例
３．第２の実施形態
３−１．第２の実施形態によるｅＮｏｄｅＢの構成
３−２．第２の実施形態によるｅＮｏｄｅＢの動作
３−３．変形例
４．第３の実施形態
４−１．ピコｅＮｏｄｅＢの構成
４−２．ＵＥの構成
４−３．信号品質の測定
４−４．通信システムの動作
５．むすび
【００１５】
＜＜１．通信システムの基本構成＞＞
図１は、本開示の実施形態による通信システムの構成を示した説明図である。図１に示したように、本開示の実施形態による通信システムは、複数のｅＮｏｄｅＢ１０と、複数のＵＥ（Ｕｓｅｒ  Ｅｑｕｉｐｍｅｎｔ）２０と、複数のピコｅＮｏｄｅＢ３０と、を備える。
【００１６】
ｅＮｏｄｅＢ１０は、ｅＮｏｄｅＢ１０が提供するセル、すなわちｅＮｏｄｅＢ１０のカバレッジに含まれるＵＥ２０と通信する無線基地局である（本明細書においては、特段の記載が無い場合、ｅＮｏｄｅＢ１０はマクロｅＮｏｄｅＢを指す。）。このｅＮｏｄｅＢ１０は、数Ｋｍから１０Ｋｍ程度のセルを形成する大電力の出力を有する。また、各ｅＮｏｄｅＢ１０は、Ｘ２インタフェースと呼ばれる有線で接続されており、Ｘ２インタフェースを介して他のｅＮｏｄｅＢ１０と制御データやユーザデータなどを通信することが可能である。
【００１７】
ピコｅＮｏｄｅＢ３０は、ｅＮｏｄｅＢ１０より送信電力が例えば数１０ｄＢ程度低い低送信電力型の通信制御装置である。したがって、ピコｅＮｏｄｅＢ３０は、ｅＮｏｄｅＢ１０が形成するセル内で、ｅＮｏｄｅＢ１０より小さいセルを形成する。このようなピコｅＮｏｄｅＢ３０は、ピコｅＮｏｄｅＢ３０に属するＵＥ２０との通信を制御する。また、ピコｅＮｏｄｅＢ３０は、ｅＮｏｄｅＢ１０とＸ２インタフェースにより接続され、Ｘ２インタフェースを介してｅＮｏｄｅＢ１０と制御データやユーザデータなどを通信することが可能である。
【００１８】
ＵＥ２０は、ｅＮｏｄｅＢ１０またはピコｅＮｏｄｅＢ３０などの基地局により割り当てられたダウンリンク用のリソースブロックにおいて受信処理を行い、アップリンク用のリソースブロックにおいて送信処理を行う通信端末である。図１に示した例では、ＵＥ２０Ａは、ｅＮｏｄｅＢ１０Ａに属し、ｅＮｏｄｅＢ１０Ａとの間でアップリンク通信およびダウンリンク通信を行う。また、ＵＥ２０Ｂは、ピコｅＮｏｄｅＢ３０に属し、ピコｅＮｏｄｅＢ３０との間でアップリンク通信およびダウンリンク通信を行う。
【００１９】
このＵＥ２０は、例えば、スマートフォンであってもよいし、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。さらに、ＵＥ２０は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの移動通信装置であってもよい。
【００２０】
（フレーム構成）
続いて、上述したｅＮｏｄｅＢ１０などの基地局と、ＵＥ２０との間で共有される無線フレームについて説明する。
【００２１】
図２は、４Ｇのフレームフォーマットを示した説明図である。図２に示したように、１０ｍｓの無線フレームは、１０個の１ｍｓのサブフレーム＃０〜＃９から構成されている。各サブフレームは、１２サブキャリア×１４ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルからなる１つのリソースブロックであり、スケジューリングの割り当てはこのリソースブロック単位で行われる。なお、１ＯＦＤＭシンボルは、ＯＦＤＭ変調方式の通信方式で用いられる単位であり、１回のＦＦＴ（Ｆａｓｔ  Ｆｏｕｒｉｅｒ  Ｔｒａｎｓｆｏｒｍ）で処理されたデータを出力する単位である。
【００２２】
また、図２に示したように、各サブフレームは制御領域およびデータ領域からなる。制御領域は、先頭の１〜３ＯＦＤＭシンボルからなり（図２においては、制御領域が３ＯＦＤＭシンボルである例を示している。）、ＰＤＣＣＨ（Ｐｈｙ  ＤｏｗｎＬｉｎｋ  Ｃｏｎｔｒｏｌ  Ｃｈａｎｎｅｌ）と呼ばれる制御信号の送信のために用いられる。また、制御領域に続くデータ領域は、ＰＤＳＣＨ（Ｐｈｙ  ＤｏｗｎＬｉｎｋ  Ｓｈａｒｅｄ  Ｃｈａｎｎｅｌ）と呼ばれるユーザデータなどの送信のために用いられる。
【００２３】
さらに、制御領域およびデータ領域には、Ｃｅｌｌ−ｓｐｅｃｉｆｉｃなリファレンス信号（ＲＳ）が配置される。ＵＥ２０は、このリファレンス信号を受信することによりチャネル推定を行い、チャネル推定結果に基づいてＰＤＳＣＨなどの復号処理を行うことが可能である。
【００２４】
（レンジ拡張）
ところで、ＵＥ２０は、受信電力の測定（メジャメント）を行い、基本的に、受信電力が最も大きい基地局を接続先に決定する。しかし、ピコｅＮｏｄｅＢ３０は、上述したようにｅＮｏｄｅＢ１０よりも送信電力が低い。このため、ＵＥ２０によるメジャメントでは、ＵＥ２０がピコｅＮｏｄｅＢ３０の近くに位置する場合であっても、ｅＮｏｄｅＢ１０の受信電力の方が大きくなってしまうことが多い。結果、ＵＥ２０がピコｅＮｏｄｅＢ３０に属する機会が少なくなってしまう。
【００２５】
このような不具合を改善するために、レンジ拡張（Ｒａｎｇｅ  Ｅｘｐａｎｓｉｏｎ）という技術が考えられた。レンジ拡張は、ピコｅＮｏｄｅＢ３０のセルを拡張する技術である。具体的には、ＵＥ２０がメジャメントを行う際に、ピコｅＮｏｄｅＢ３０の受信電力を、実際の測定値より２０ｄＢ程度大きいな値とみなす技術である。
【００２６】
図３は、ピコｅＮｏｄｅＢ３０のレンジ拡張エリアを示した説明図である。上記のレンジ拡張により、ピコｅＮｏｄｅＢ３０のセルは、図３に示したレンジ拡張エリアまで拡張される。かかる構成により、ＵＥ２０がピコｅＮｏｄｅＢ３０に属する機会を増やすことが可能である。
【００２７】
一方、ピコｅＮｏｄｅＢ３０に属し、レンジ拡張エリアに位置するＵＥ２０においては、ｅＮｏｄｅＢ１０からの受信電力が、ピコｅＮｏｄｅＢ３０よりも２０ｄＢ程度高くなる場合がある。このため、ｅＮｏｄｅＢ１０からの干渉を適切に制御することが重要である。以下、ＰＤＳＣＨが送信されるデータ領域の干渉制御、およびＰＤＣＣＨが送信される制御領域の干渉制御について説明する。
【００２８】
（データ領域の干渉制御）
データ領域の干渉は、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ）により対応可能である。具体的には、ｅＮｏｄｅＢ１０は、周囲のｅＮｏｄｅＢ１０とＸ２インタフェースを介して、干渉が大きいリソースブロック、または干渉が大きくなると予想されるリソースブロックの情報を交換することにより、データ領域の干渉をリソースブロック単位で制御することが可能である。一方、ＩＣＩＣではＰＤＣＣＨの送信は停止されないので、ＩＣＩＣにより制御領域の干渉を回避することは困難であった。
【００２９】
（制御領域の干渉制御−ＡＢＳ）
このため、制御領域の干渉制御のために、ＡＢＳ（Ａｌｍｏｓｔ  Ｂｌａｎｋ  Ｓｕｂｆｒａｍｅ）が採用された。ＡＢＳは、一部のサブフレームにおいてマクロｅＮｏｄｅＢからのリファレンス信号以外の送信を制限することであり、ＡＢＳに設定されたサブフレームは、リファレンス信号以外の送信が制限される送信制限フレームとなる。以下、図４を参照し、ＡＢＳについてより具体的に説明する。
【００３０】
図４は、ＡＢＳに設定されたサブフレームを示す説明図である。図４に示したように、ＡＢＳに設定されたサブフレームでは、ＰＤＣＣＨおよびＰＤＳＣＨが送信されず、制御領域のリファレンス信号およびデータ領域のリファレンス信号が送信される。これにより、ｅＮｏｄｅＢ１０がＡＢＳに設定されたサブフレームでは、ピコｅＮｏｄｅＢ３０の制御領域およびデータ領域の双方の干渉が抑制される。
【００３１】
なお、ＡＢＳには、ＭＢＳＦＮ（Ｍｕｌｔｉｍｅｄｉａ  Ｂｒｏａｄｃａｓｔ  ｍｕｌｔｉｃａｓｔ  Ｓｉｎｇｌｅ  Ｆｒｅｑｕｅｎｃｙ  Ｎｅｔｗｏｒｋ）型のＡＢＳも含まれる。ＭＢＳＦＮ型のＡＢＳに設定されたサブフレームでは、図５に示したように、データ領域のリファレンス信号が送信されず、制御領域のリファレンス信号のみが送信される。このため、ＭＢＳＦＮ型のＡＢＳに設定されたサブフレームでは、図４に示した通常のＡＢＳよりもピコｅＮｏｄｅＢ３０の干渉がさらに抑制される。
【００３２】
（ＡＢＳの設定パターン）
上記のＡＢＳの設定パターンとして、８個のサブフレームを周期とする複数のＣｏｎｆｉｇｕｒａｔｉｏｎが規定されている。以下、図６を参照し、Ｃｏｎｆｉｇｕｒａｔｉｏｎの具体例を説明する。
【００３３】
図６は、Ｃｏｎｆｉｇｕｒａｔｉｏｎの具体例を示した説明図である。図６に示したように、Ｃｏｎｆｉｇｕｒａｔｉｏｎ１では、第１サブフレームにはＡＢＳが設定されず、第２〜第８サブフレームにＡＢＳが設定される。また、Ｃｏｎｆｉｇｕｒａｔｉｏｎ２では、第１および第５サブフレームにはＡＢＳが設定されず、第２〜第４サブフレームおよび第６〜第８サブフレームにＡＢＳが設定される。Ｃｏｎｆｉｇｕｒａｔｉｏｎ３〜５についても同様に８ｍｓを周期とするパターンに従ってＡＢＳが設定される。
【００３４】
なお、１無線フレームは１０ｍｓであるが、ハイブリッドＡＣＫの周期が８ｍｓであるので、このハイブリッドＡＣＫとの整合性の観点からＣｏｎｆｉｇｕｒａｔｉｏｎの周期も８ｍｓに決められた。
【００３５】
（Ｍｕｌｔｉｐｌｅ＿ＡＢＳ）
これまで、隣接するｅＮｏｄｅＢ１０は、上記のＣｏｎｆｉｇｕｒａｔｉｏｎのうち、同一のＣｏｎｆｉｇｕｒａｔｉｏｎを設定することが考えられていた。例えば図１に示した例において、ｅＮｏｄｅＢ１０ＡがＡＢＳに設定したサブフレームは、ｅＮｏｄｅＢ１０Ｂおよび１０ＣによってもＡＢＳに設定されることが考えられていた。このため、ｅＮｏｄｅＢ１０ＡがＡＢＳに設定したサブフレームでは、ｅＮｏｄｅＢ１０Ａのセル境界付近に位置するＵＥ２０Ｂが隣接するｅＮｏｄｅＢ１０Ｂおよび１０Ｃから受ける干渉は少なかった。
【００３６】
しかし、近日、隣接するｅＮｏｄｅＢ１０の間で異なるＣｏｎｆｉｇｕｒａｔｉｏｎを設定することを許容するＭｕｌｔｉｐｌｅ＿ＡＢＳという技術が検討されている。この背景は、ｅＮｏｄｅＢ１０によってＡＢＳに設定するサブフレームの適切な量は異なることであろう。すなわち、多くのピコｅＮｏｄｅＢ３０が属するｅＮｏｄｅＢ１０は多くのサブフレームをＡＢＳに設定すべきである一方、属するピコｅＮｏｄｅＢ３０が少ないｅＮｏｄｅＢ１０は多くのサブフレームをＡＢＳに設定する意義は少ない。
【００３７】
このようなＭｕｌｔｉｐｌｅ＿ＡＢＳの導入により、隣接する複数のマクロｅＮｏｄｅＢのうちで、同一のサブフレームをＡＢＳに設定しているマクロｅＮｏｄｅＢと設定していないマクロｅＮｏｄｅＢが混在することになる。例えば、図１に示したｅＮｏｄｅＢ１０ＡがＣｏｎｆｉｇｕｒａｔｉｏｎ２を設定し、ｅＮｏｄｅＢ１０ＢがＣｏｎｆｉｇｕｒａｔｉｏｎ５を設定した場合、ｅＮｏｄｅＢ１０Ａにとってサブフレーム＃３はＡＢＳであるが、ｅＮｏｄｅＢ１０Ｂにとってサブフレーム＃３はＡＢＳでない。このため、ｅＮｏｄｅＢ１０Ａのセル境界付近に位置するＵＥ２０Ｂは、サブフレーム＃３においてｅＮｏｄｅＢ１０Ｂから干渉を受ける場合がある。
【００３８】
＜＜２．第１の実施形態＞＞
（第１の実施形態の背景）
以上説明したように、Ｍｕｌｔｉｐｌｅ＿ＡＢＳの導入により、ピコｅＮｏｄｅＢ３０は、ピコｅＮｏｄｅＢ３０の属するｅＮｏｄｅＢ１０のＣｏｎｆｉｇｕｒａｔｉｏｎを考慮するのみでは、適切に干渉を回避することが困難である。
【００３９】
このため、複数のｅＮｏｄｅＢ１０が各々のＣｏｎｆｉｇｕｒａｔｉｏｎをピコｅＮｏｄｅＢ３０に通知することが考えられるが、この通知は、ピコｅＮｏｄｅＢ３０へのＸ２インタフェースの負荷増大につながる。また、ピコｅＮｏｄｅＢ３０は、基本的に１つのｅＮｏｄｅＢ１０との間にＸ２インタフェースを有するので、１のｅＮｏｄｅＢ１０からＣｏｎｆｉｇｕｒａｔｉｏｎを通知することが適切である。
【００４０】
また、これまでの議論では、１つのＣｏｎｆｉｇｕｒａｔｉｏｎをｅＮｏｄｅＢ１０とピコｅＮｏｄｅＢ３０の間でＸ２インタフェースを介して共有することが考えられていた。したがって、バックワードコンパチビリティの観点からは、複数のｅＮｏｄｅＢ１０の複数のＣｏｎｆｉｇｕｒａｔｉｏｎをピコｅＮｏｄｅＢ３０に通知することは望ましくない。
【００４１】
そこで、上記事情を一着眼点にして本開示の第１の実施形態を創作するに至った。本開示の第１の実施形態によれば、Ｍｕｌｔｉｐｌｅ＿ＡＢＳが導入された場合であっても、各サブフレームの干渉からの保護状態を適切に判断することができる。以下、このような本開示の第１の実施形態について詳細に説明する。
【００４２】
＜２−１．第１の実施形態によるｅＮｏｄｅＢの構成＞
図７は、本開示の第１の実施形態によるｅＮｏｄｅＢ１０の構成を示した機能ブロック図である。図７に示したように、本開示の第１の実施形態によるｅＮｏｄｅＢ１０は、アンテナ群１０４と、無線処理部１１０と、ＤＡ／ＡＤ変換部１２０と、デジタル処理部１３０と、ＡＢＳ設定部１４０と、Ｘ２通信部１５０と、Ｃｏｎｆｉｇｕｒａｔｉｏｎ保持部１６０と、干渉判断部１７０と、を備える。
【００４３】
（アンテナ群）
アンテナ群１０４は、ＵＥ２０から無線信号を受信して電気的な高周波信号を取得し、高周波信号を無線処理部１１０へ供給する。また、アンテナ群１０４は、無線処理部１１０から供給される高周波信号に基づいて無線信号をＵＥ２０に送信する。ｅＮｏｄｅＢ１０は、このように複数のアンテナからなるアンテナ群１０４を備えるため、ＭＩＭＯ通信やダイバーシティ通信を行うことが可能である。
【００４４】
（無線処理部）
無線処理部１１０は、増幅、フィルタリング、およびダウンコンバージョンなどのアナログ処理を行うことにより、アンテナ群１０４から供給される高周波信号をベースバンド信号（アップリンク信号）に変換する。また、無線処理部１１０は、ＤＡ／ＡＤ変換部１２０から供給されるベースバンド信号（ダウンリンク信号）を高周波信号に変換する。
【００４５】
（ＤＡ／ＡＤ変換部）
ＤＡ／ＡＤ変換部１２０は、無線処理部１１０から供給されるアナログ形式のアップリンク信号をデジタル形式に変換し、デジタル処理部１３０に供給する。また、ＤＡ／ＡＤ変換部１２０は、デジタル処理部１３０から供給されるデジタル形式のダウンリンク信号をアナログ形式に変換し、無線処理部１１０に供給する。
【００４６】
（デジタル処理部）
デジタル処理部１３０は、ＤＡ／ＡＤ変換部１２０から供給されるアップリンク信号にデジタル処理を施し、ＰＵＣＣＨのような制御信号や、ＰＵＳＣＨのようなユーザデータを検出する。また、デジタル処理部１３０は、ｅＮｏｄｅＢ１０から送信するためのデジタル形式のダウンリンク信号を生成し、ダウンリンク信号をＤＡ／ＡＤ変換部１２０に供給する。
【００４７】
（ＡＢＳ設定部）
ＡＢＳ設定部１４０は、図６を参照して説明したＣｏｎｆｉｇｕｒａｔｉｏｎの選択および設定により、ＡＢＳを設定する。
【００４８】
（Ｘ２通信部）
Ｘ２通信部１５０は、他のｅＮｏｄｅＢ１０やピコｅＮｏｄｅＢ３０とＸ２インタフェースを介して通信を行うための構成である。例えば、Ｘ２通信部１５０は、周囲のｅＮｏｄｅＢ１０のＡＢＳの設定情報、すなわちＣｏｎｆｉｇｕｒａｔｉｏｎを受信する設定情報受信部としての機能を有する。また、Ｘ２通信部１５０は、干渉判断部１７０によるサブフレームごとの干渉保護状態の判断結果を示す情報をピコｅＮｏｄｅＢ３０に通知する通知部としての機能も有する。
【００４９】
（Ｃｏｎｆｉｇｕｒａｔｉｏｎ保持部）
Ｃｏｎｆｉｇｕｒａｔｉｏｎ保持部１６０は、Ｘ２通信部１５０によって受信された周囲のｅＮｏｄｅＢ１０のＣｏｎｆｉｇｕｒａｔｉｏｎを保持する。
【００５０】
（干渉判断部）
干渉判断部１７０は、ｅＮｏｄｅＢ１０のセル内のピコｅＮｏｄｅＢ３０に属するＵＥ２０の干渉保護状態をサブフレームごとに判断する。具体的には、干渉判断部１７０は、ＡＢＳ設定部１４０により設定されたＣｏｎｆｉｇｕｒａｔｉｏｎ、およびＣｏｎｆｉｇｕｒａｔｉｏｎ保持部１６０に保持されている隣接するｅＮｏｄｅＢ１０のＣｏｎｆｉｇｕｒａｔｉｏｎに基づいて上記干渉保護状態を判断する。
【００５１】
例えば、対象のピコｅＮｏｄｅＢ３０をセル内に含むｅＮｏｄｅＢ１０（以下、必要に応じてサービングｅＮｏｄｅＢ１０と称する。）、および隣接するｅＮｏｄｅＢ１０のいずれによってもＡＢＳに設定されているサブフレームでは、ピコｅＮｏｄｅＢ３０に属するＵＥ２０の通信が受ける干渉は少ないと考えられる。このため、干渉判断部１７０は、サービングｅＮｏｄｅＢ１０および隣接するｅＮｏｄｅＢ１０がＡＢＳに設定しているサブフレームを保護（Ｐｒｏｔｅｃｔｅｄ）フレームと判断する。
【００５２】
また、サービングｅＮｏｄｅＢ１０および隣接するｅＮｏｄｅＢ１０のいずれによってもＡＢＳに設定されていないサブフレームでは、ピコｅＮｏｄｅＢ３０に属するＵＥ２０の通信は複数のｅＮｏｄｅＢ１０から干渉を受けると考えられる。このため、干渉判断部１７０は、サービングｅＮｏｄｅＢ１０および隣接するｅＮｏｄｅＢ１０のいずれによってもＡＢＳに設定されていないサブフレームを非保護（Ｎｏｔ  Ｐｒｏｔｅｃｔｅｄ）フレームと判断する。
【００５３】
また、隣接するｅＮｏｄｅＢ１０がＡＢＳに設定しているサブフレームであっても、サービングｅＮｏｄｅＢ１０がＡＢＳに設定していないサブフレームでは、ピコｅＮｏｄｅＢ３０に属するＵＥ２０の通信がサービングｅＮｏｄｅＢ１０から干渉を受ける可能性が高い。そこで、干渉判断部１７０は、隣接するｅＮｏｄｅＢ１０がＡＢＳに設定しており、サービングｅＮｏｄｅＢ１０がＡＢＳに設定していないサブフレームを、非保護フレームと判断してもよい。
【００５４】
また、サービングｅＮｏｄｅＢ１０がＡＢＳに設定しているサブフレームであっても、隣接するｅＮｏｄｅＢ１０がＡＢＳに設定していないサブフレームでは、ピコｅＮｏｄｅＢ３０に属するＵＥ２０の通信が隣接するｅＮｏｄｅＢ１０から干渉を受ける可能性がある。すなわち、ピコｅＮｏｄｅＢ３０に属するＵＥ２０の通信が受ける干渉が強い場合も、弱い場合も考えられる。そこで、干渉判断部１７０は、サービングｅＮｏｄｅＢ１０がＡＢＳに設定しており、隣接するｅＮｏｄｅＢ１０がＡＢＳに設定していないサブフレームは、干渉状態が不確定な不確定（Ｐａｒｔｉａｌ  Ｐｒｏｔｅｃｔｅｄ）フレームと判断する。
【００５５】
ここで、図８を参照し、上述した干渉判断部１７０による判断の具体例を説明する。
【００５６】
図８は、干渉判断部１７０による判断の具体例を示した説明図である。より詳細には、図８には、サービングｅＮｏｄｅＢ１０ＡがＣｏｎｆｉｇｕｒａｔｉｏｎ２を設定し、隣接するｅＮｏｄｅＢ１０Ｂおよび１０Ｃが各々Ｃｏｎｆｉｇｕｒａｔｉｏｎ３および４を設定している例を示している。
【００５７】
この場合、サブフレーム＃２および＃６は、全てのｅＮｏｄｅＢ１０によりＡＢＳに設定されているので、干渉判断部１７０は、サブフレーム＃２および＃６を保護フレームと判断する。
【００５８】
また、サブフレーム＃１および＃５は、いずれのｅＮｏｄｅＢ１０もＡＢＳに設定していないので、干渉判断部１７０は、サブフレーム＃１および＃５を非保護フレームと判断する。
【００５９】
また、サブフレーム＃３および＃７は、隣接するｅＮｏｄｅＢ１０ＢがＡＢＳに設定しており、サービングｅＮｏｄｅＢ１０ＡがＡＢＳに設定していないサブフレームであるので、干渉判断部１７０は、サブフレーム＃３および＃７を非保護フレームと判断する。
【００６０】
また、サブフレーム＃４および＃８は、サービングｅＮｏｄｅＢ１０がＡＢＳに設定しており、隣接するｅＮｏｄｅＢ１０がＡＢＳに設定していないサブフレームであるので、干渉判断部１７０は、サブフレーム＃４および＃８を不確定フレームと判断する。
【００６１】
干渉判断部１７０は、このように各サブフレームの干渉保護状態を判断すると、判断結果に対応するＣｏｎｆｉｇｕｒａｔｉｏｎＸを特定する。ここで、本実施形態においては、図６を参照して説明したＣｏｎｆｉｇｕｒａｔｉｏｎ１〜５に、不確定フレームを含む組合せを規定するＣｏｎｆｉｇｕｒａｔｉｏｎが追加されており、干渉判断部１７０は、これらＣｏｎｆｉｇｕｒａｔｉｏｎから判断結果に対応するＣｏｎｆｉｇｕｒａｔｉｏｎＸを特定する。そして、Ｘ２通信部１５０が、干渉判断部１７０により特定されたＣｏｎｆｉｇｕｒａｔｉｏｎＸをピコｅＮｏｄｅＢ３０に通知する。
【００６２】
かかる構成により、複数のｅＮｏｄｅＢ１０の複数のＣｏｎｆｉｇｕｒａｔｉｏｎをピコｅＮｏｄｅＢ３０に通知することなく、サービングｅＮｏｄｅＢ１０から通知される１つのＣｏｎｆｉｇｕｒａｔｉｏｎに基づいてピコｅＮｏｄｅＢ３０が各サブフレームの干渉保護状態を適切に把握することが可能となる。
【００６３】
＜２−２．第１の実施形態によるｅＮｏｄｅＢの動作＞
以上、本開示の第１の実施形態によるｅＮｏｄｅＢ１０の構成を説明した。続いて、図９を参照し、本開示の第１の実施形態によるｅＮｏｄｅＢ１０の動作を説明する。
【００６４】
図９は、本開示の第１の実施形態によるｅＮｏｄｅＢ１０の動作を示したフローチャートである。図９に示したように、まず、サービングｅＮｏｄｅＢ１０のＡＢＳ設定部１４０がＣｏｎｆｉｇｕｒａｔｉｏｎを選択してＡＢＳを設定し（Ｓ４０４）、Ｘ２通信部１５０が隣接するｅＮｏｄｅＢ１０のＣｏｎｆｉｇｕｒａｔｉｏｎを受信する（Ｓ４０８）。その後、干渉判断部１７０が、サブフレームごとにＳ４１２〜Ｓ４２８に示す判断を行う。
【００６５】
具体的には、干渉判断部１７０は、対象のサブフレームがサービングｅＮｏｄｅＢ１０によりＡＢＳに設定されているか否かを判断する（Ｓ４１２）。そして、対象のサブフレームがサービングｅＮｏｄｅＢ１０によりＡＢＳに設定されていない場合、干渉判断部１７０は当該サブフレームを非保護フレームと判断する（Ｓ４１６）。
【００６６】
一方、干渉判断部１７０は、対象のサブフレームがサービングｅＮｏｄｅＢ１０によりＡＢＳに設定されている場合、全ての隣接するｅＮｏｄｅＢ１０が当該サブフレームをＡＢＳに設定しているか否かを判断する（Ｓ４２０）。そして、全ての隣接するｅＮｏｄｅＢ１０が当該サブフレームをＡＢＳに設定している場合、干渉判断部１７０は当該サブフレームを保護フレームと判断する（Ｓ４２４）。一方、一部の隣接するｅＮｏｄｅＢ１０が当該サブフレームをＡＢＳに設定していない場合（Ｓ４２０）、干渉判断部１７０は当該サブフレームを不確定フレームと判断する（Ｓ４２８）。
【００６７】
その後、干渉判断部１７０は、各サブフレームの判断結果に対応するＣｏｎｆｉｇｕｒａｔｉｏｎを特定し、特定されたＣｏｎｆｉｇｕｒａｔｉｏｎをＸ２通信部１５０がピコｅＮｏｄｅＢ３０に通知する（Ｓ４３２）。
【００６８】
（変形例）
なお、上記では、隣接するｅＮｏｄｅＢ１０がＡＢＳに設定しており、サービングｅＮｏｄｅＢ１０がＡＢＳに設定していないサブフレームが非保護フレームとして扱われる例を説明したが、本実施形態はかかる例に限定されない。例えば、干渉判断部１７０は、隣接するｅＮｏｄｅＢ１０がＡＢＳに設定しており、サービングｅＮｏｄｅＢ１０がＡＢＳに設定していないサブフレームを不確定フレームと判断してもよい。以下、図１０および図１１を参照し、このような変形例について説明する。
【００６９】
図１０は、干渉判断部１７０による判断の変形例を示した説明図である。より詳細には、図１０には、図８と同様に、サービングｅＮｏｄｅＢ１０ＡがＣｏｎｆｉｇｕｒａｔｉｏｎ２を設定し、隣接するｅＮｏｄｅＢ１０Ｂおよび１０Ｃが各々Ｃｏｎｆｉｇｕｒａｔｉｏｎ３および４を設定している例を示している。
【００７０】
この場合、サブフレーム＃３および＃７は、隣接するｅＮｏｄｅＢ１０ＢがＡＢＳに設定しており、サービングｅＮｏｄｅＢ１０ＡがＡＢＳに設定していないサブフレームであるので、変形例による干渉判断部１７０は、図１０に示したように、サブフレーム＃３および＃７を非保護フレームと判断する。なお、サブフレーム＃１、＃２、＃４〜６、および＃８に関する判断結果は図８を参照して説明した通りであるので、ここでの詳細な説明を省略する。
【００７１】
図１１は、変形例による動作を示したフローチャートである。図１１に示したように、まず、サービングｅＮｏｄｅＢ１０のＡＢＳ設定部１４０がＣｏｎｆｉｇｕｒａｔｉｏｎを選択してＡＢＳを設定し（Ｓ４０４）、Ｘ２通信部１５０が隣接するｅＮｏｄｅＢ１０のＣｏｎｆｉｇｕｒａｔｉｏｎを受信する（Ｓ４０８）。その後、干渉判断部１７０が、サブフレームごとにＳ４１４〜Ｓ４３０に示す判断を行う。
【００７２】
具体的には、干渉判断部１７０は、対象のサブフレームがサービングｅＮｏｄｅＢ１０および隣接するｅＮｏｄｅＢ１０を含む全てのｅＮｏｄｅＢ１０によりＡＢＳに設定されているか否かを判断する（Ｓ４１４）。そして、対象のサブフレームが全てのｅＮｏｄｅＢによりＡＢＳに設定されている場合、干渉判断部１７０は当該サブフレームを保護フレームと判断する（Ｓ４１８）。
【００７３】
一方、干渉判断部１７０は、対象のサブフレームが全てでなく一部のｅＮｏｄｅＢ１０によりＡＢＳに設定されているか否かを判断する（Ｓ４２２）。そして、対象のサブフレームがいずれのｅＮｏｄｅＢ１０によってもＡＢＳに設定されていない場合、干渉判断部１７０は当該サブフレームを非保護フレームと判断する（Ｓ４２６）。一方、対象のサブフレームが一部のｅＮｏｄｅＢ１０によりＡＢＳに設定されている場合、干渉判断部１７０は当該サブフレームを不確定フレームと判断する（Ｓ４３０）。
【００７４】
その後、干渉判断部１７０は、各サブフレームの判断結果に対応するＣｏｎｆｉｇｕｒａｔｉｏｎを特定し、特定されたＣｏｎｆｉｇｕｒａｔｉｏｎをＸ２通信部１５０がピコｅＮｏｄｅＢ３０に通知する（Ｓ４３２）。
【００７５】
＜２−３．応用例＞
以上説明したように、本実施形態によれば、干渉の可能性のある不確定フレームを示すＣｏｎｆｉｇｕｒａｔｉｏｎをピコｅＮｏｄｅＢ３０に通知するので、ピコｅＮｏｄｅＢ３０は、例えば、非保護フレームに加え、不確定フレームを避けてレンジ拡張エリア内のＵＥ２０に対するスケジューリングを行うことが可能となる。
【００７６】
しかし、不確定フレームの数が増加すると、ピコｅＮｏｄｅＢ３０が割当て可能なリソース量に悪影響がでるので、ピコｅＮｏｄｅＢ３０のスループットが低下する場合が考えられる。そこで、本実施形態の応用例として、不確定フレームの数を抑制するための構成を以下に説明する。
【００７７】
応用例によるＡＢＳ設定部１４０は、周囲のｅＮｏｄｅＢ１０と協調して、ｅＮｏｄｅＢ１０のセクタ毎にＣｏｎｆｉｇｕｒａｔｉｏｎを設定する。具体的には、隣接する複数のｅＮｏｄｅＢ１０の各々のＡＢＳ設定部１４０は、当該複数のｅＮｏｄｅＢ１０の中心方向に向かうセクタに同一のＣｏｎｆｉｇｕｒａｔｉｏｎを設定する。以下、図１２を参照してより具体的に説明する。
【００７８】
図１２は、第１の実施形態の応用例を示した説明図である。図１２に示したように、ｅＮｏｄｅＢ１０Ａの、ｅＮｏｄｅＢ１０Ａ〜１０Ｄの中心方向に向かうセクタは、第１セクタＳ１Ａである。また、ｅＮｏｄｅＢ１０Ｂの、ｅＮｏｄｅＢ１０Ａ〜１０Ｄの中心方向に向かうセクタは、第１セクタＳ１Ｂである。また、ｅＮｏｄｅＢ１０Ｃの、ｅＮｏｄｅＢ１０Ａ〜１０Ｄの中心方向に向かうセクタは、第１セクタＳ１Ｃである。同様に、ｅＮｏｄｅＢ１０Ｄの、ｅＮｏｄｅＢ１０Ａ〜１０Ｄの中心方向に向かうセクタは、第１セクタＳ１Ｄである。
【００７９】
このため、ｅＮｏｄｅＢ１０Ａ〜１０ＤのＡＢＳ設定部１４０は、ｅＮｏｄｅＢ１０Ａの第１セクタＳ１Ａ、ｅＮｏｄｅＢ１０Ｂの第１セクタＳ１Ｂ、ｅＮｏｄｅＢ１０Ｃの第１セクタＳ１Ｃ、およびｅＮｏｄｅＢ１０Ｄの第１セクタＳ１Ｄに、同一のＣｏｎｆｉｇｕｒａｔｉｏｎ２を設定する。
【００８０】
同様にして、ｅＮｏｄｅＢ１０Ａ、１０Ｄ〜１０ＦのＡＢＳ設定部１４０は、ｅＮｏｄｅＢ１０Ａの第１セクタＳ２Ａ、ｅＮｏｄｅＢ１０Ｄの第１セクタＳ２Ｄ、ｅＮｏｄｅＢ１０Ｅの第１セクタＳ１Ｅ、およびｅＮｏｄｅＢ１０Ｆの第１セクタＳ１Ｆに、同一のＣｏｎｆｉｇｕｒａｔｉｏｎ３を設定する。
【００８１】
ここで、応用例による干渉判断部１７０は、隣接する複数のｅＮｏｄｅＢ１０の各々の、複数のｅＮｏｄｅＢ１０の中心方向に向かうセクタに設定されたＣｏｎｆｉｇｕｒａｔｉｏｎに基づいて干渉を判断する。このため、これらセクタに同一のＣｏｎｆｉｇｕｒａｔｉｏｎが設定される当該応用例によれば、同一のサブフレームをＡＢＳに設定するｅＮｏｄｅＢ１０とＡＢＳに設定しないｅＮｏｄｅＢ１０の混在を回避できるので、不確定フレームの数を抑制することが可能である。結果、ピコｅＮｏｄｅＢ３０のスループットを向上することができる。
【００８２】
＜＜３．第２の実施形態＞＞
以上、本開示の第１の実施形態を説明した。続いて、本開示の第２の実施形態を説明する。第２の実施形態によれば、ｅＮｏｄｅＢ１０−２内のピコｅＮｏｄｅＢ３０ごとにＣｏｎｆｉｇｕｒａｔｉｏｎを判断することにより、各ピコｅＮｏｄｅＢ３０に適したＣｏｎｆｉｇｕｒａｔｉｏｎを通知することが可能となる。
【００８３】
＜３−１．第２の実施形態によるｅＮｏｄｅＢの構成＞
図１３は、本開示の第２の実施形態によるｅＮｏｄｅＢ１０−２の構成を示した機能ブロック図である。図１３に示したように、本開示の第２の実施形態によるｅＮｏｄｅＢ１０−２は、アンテナ群１０４と、無線処理部１１０と、ＤＡ／ＡＤ変換部１２０と、デジタル処理部１３０と、ＡＢＳ設定部１４０と、Ｘ２通信部１５０と、Ｃｏｎｆｉｇｕｒａｔｉｏｎ保持部１６０と、干渉判断部１７２と、位置情報保持部１８０と、を備える。アンテナ群１０４、無線処理部１１０、ＤＡ／ＡＤ変換部１２０、デジタル処理部１３０およびＡＢＳ設定部１４０などの構成については第１の実施形態において説明した通りであるので、ここでの詳細な説明を省略する。
【００８４】
（位置情報保持部）
位置情報保持部１８０は、ｅＮｏｄｅＢ１０−２内のピコｅＮｏｄｅＢ３０の位置情報を保持する。なお、各ピコｅＮｏｄｅＢ３０の位置情報は、人的に設定されてもよいし、ピコｅＮｏｄｅＢ３０から報告されてもよい。
【００８５】
（干渉判断部）
干渉判断部１７２は、複数のｅＮｏｄｅＢ１０−２のＣｏｎｆｉｇｕｒａｔｉｏｎに加え、位置情報保持部１８０に保持されている各ピコｅＮｏｄｅＢ３０の位置情報に基づき、通知するためのＣｏｎｆｉｇｕｒａｔｉｏｎをピコｅＮｏｄｅＢ３０ごとに判断する。以下、図１４を参照し、この点についてより具体的に説明する。
【００８６】
図１４は、ｅＮｏｄｅＢ１０−２およびピコｅＮｏｄｅＢ３０の配置の一例を示した説明図である。図１４に示した例では、ピコｅＮｏｄｅＢ３０ＡはｅＮｏｄｅＢ１０−２Ａの比較的近傍に位置し、ピコｅＮｏｄｅＢ３０ＢはｅＮｏｄｅＢ１０−２Ａのセルエッジ付近に位置する。
【００８７】
このように、各ピコｅＮｏｄｅＢ３０の位置が異なると、各ｅＮｏｄｅＢ１０−２のＣｏｎｆｉｇｕｒａｔｉｏｎの組合せが同一であっても、各ピコｅＮｏｄｅＢ３０の干渉保護状態は異なる。例えば、ｅＮｏｄｅＢ１０−２Ａの比較的近傍に位置するピコｅＮｏｄｅＢ３０Ａは、隣接するｅＮｏｄｅＢ１０−２Ｂおよび１０−２Ｃから受ける干渉量は少ない。一方、ｅＮｏｄｅＢ１０−２Ａのセルエッジ付近に位置するピコｅＮｏｄｅＢ３０Ｂは隣接するｅＮｏｄｅＢ１０−２Ｂおよび１０−２Ｃから比較的大きな干渉を受けることが予想される。
【００８８】
このため、第２の実施形態による干渉判断部１７２は、サービングｅＮｏｄｅＢ１０−２によりＡＢＳに設定されており、隣接するｅＮｏｄｅＢ１０−２によりＡＢＳに設定されていない非統一なサブフレームが存在する場合、当該サブフレームの干渉保護状態を各ピコｅＮｏｄｅＢ３０の位置情報に基づいて判断する。
【００８９】
具体的には、干渉判断部１７２は、ピコｅＮｏｄｅＢ３０がサービングｅＮｏｄｅＢ１０−２から所定範囲内に存在する場合、上記の非統一なサブフレームを保護フレームとして判断してもよい。一方、干渉判断部１７２は、ピコｅＮｏｄｅＢ３０がサービングｅＮｏｄｅＢ１０−２から所定範囲外に存在する場合、上記の非統一なサブフレームを非保護フレームとして判断してもよい。
【００９０】
かかる構成によれば、不確定フレームを含む組合せを規定するＣｏｎｆｉｇｕｒａｔｉｏｎの追加が不要になるというメリットがある。ただし、干渉判断部１７２は、ピコｅＮｏｄｅＢ３０がサービングｅＮｏｄｅＢ１０−２から所定範囲内に存在する場合、または所定範囲外に存在する場合の一方において、上記の非統一なサブフレームを不確定フレームと判断してもよい。
【００９１】
＜３−２．第２の実施形態によるｅＮｏｄｅＢの動作＞
以上、本開示の第２の実施形態によるｅＮｏｄｅＢ１０−２の構成を説明した。続いて、図１５を参照し、本開示の第２の実施形態によるｅＮｏｄｅＢ１０−２の動作を説明する。
【００９２】
図１５は、本開示の第２の実施形態によるｅＮｏｄｅＢ１０−２の動作を示したフローチャートである。図１５に示したように、まず、サービングｅＮｏｄｅＢ１０−２のＡＢＳ設定部１４０がＣｏｎｆｉｇｕｒａｔｉｏｎを選択してＡＢＳを設定し（Ｓ４０４）、Ｘ２通信部１５０が隣接するｅＮｏｄｅＢ１０−２のＣｏｎｆｉｇｕｒａｔｉｏｎを受信する（Ｓ４０８）。その後、干渉判断部１７０が、サブフレームごとにＳ４３６〜Ｓ４５６に示す判断を行う。
【００９３】
具体的には、干渉判断部１７２は、対象のサブフレームがサービングｅＮｏｄｅＢ１０−２によりＡＢＳに設定されているか否かを判断する（Ｓ４３６）。そして、対象のサブフレームがサービングｅＮｏｄｅＢ１０−２によりＡＢＳに設定されていない場合、干渉判断部１７２は当該サブフレームを非保護フレームと判断する（Ｓ４４０）。
【００９４】
一方、干渉判断部１７２は、対象のサブフレームがサービングｅＮｏｄｅＢ１０−２によりＡＢＳに設定されている場合、全ての隣接するｅＮｏｄｅＢ１０−２が当該サブフレームをＡＢＳに設定しているか否かを判断する（Ｓ４４４）。そして、全ての隣接するｅＮｏｄｅＢ１０−２が当該サブフレームをＡＢＳに設定している場合、干渉判断部１７２は当該サブフレームを保護フレームと判断する（Ｓ４４８）。
【００９５】
ここで、一部の隣接するｅＮｏｄｅＢ１０−２が当該サブフレームをＡＢＳに設定していない場合（Ｓ４４４）、干渉判断部１７２は、対象のピコｅＮｏｄｅＢ３０がサービングｅＮｏｄｅＢ１０−２から所定範囲内であるか否かを判断する（Ｓ４５２）。そして、干渉判断部１７２は、対象のピコｅＮｏｄｅＢ３０がサービングｅＮｏｄｅＢ１０−２から所定範囲内である場合には当該サブフレームを保護フレームと判断し（Ｓ４４８）、所定範囲外である場合には非保護フレームと判断する（Ｓ４５６）。
【００９６】
その後、干渉判断部１７２は、各サブフレームの判断結果に対応するＣｏｎｆｉｇｕｒａｔｉｏｎを特定し、特定されたＣｏｎｆｉｇｕｒａｔｉｏｎをＸ２通信部１５０がピコｅＮｏｄｅＢ３０に通知する（Ｓ４６０）。
【００９７】
以上説明したように、本開示の第２の実施形態によれば、各ピコｅＮｏｄｅＢ３０の位置情報に基づいてＣｏｎｆｉｇｕｒａｔｉｏｎをピコｅＮｏｄｅＢ３０ごとに判断することにより、各ピコｅＮｏｄｅＢ３０に適したＣｏｎｆｉｇｕｒａｔｉｏｎを通知することが可能となる。
【００９８】
＜３−３．変形例＞
なお、上記ではピコｅＮｏｄｅＢ３０がサービングｅＮｏｄｅＢ１０−２から所定範囲内に存在するか否かに応じて干渉保護状態を判断する例を説明したが、本実施形態はかかる例に限定されない。変形例として、干渉判断部１７２は、ピコｅＮｏｄｅＢ３０と、隣接するｅＮｏｄｅＢ１０−２との距離に基づいて干渉保護状態を判断してもよい。
【００９９】
一例として、サービングｅＮｏｄｅＢ１０−２がＡＢＳに設定しており、隣接するｅＮｏｄｅＢ１０−２がＡＢＳに設定していない非統一なサブフレームを考える。この場合、ピコｅＮｏｄｅＢ３０は、当該サブフレームにおいて、ピコｅＮｏｄｅＢ３０と隣接するｅＮｏｄｅＢ１０−２との距離が近いほどｅＮｏｄｅＢ１０−２から大きな干渉を受ける。
【０１００】
そこで、干渉判断部１７２は、ピコｅＮｏｄｅＢ３０と隣接するｅＮｏｄｅＢ１０−２との距離が所定距離未満である場合、上記の非統一なサブフレームを非保護フレームと判断してもよい。一方、干渉判断部１７２は、ピコｅＮｏｄｅＢ３０と隣接するｅＮｏｄｅＢ１０−２との距離が所定距離以上である場合、上記の非統一なサブフレームを保護フレームと判断してもよい。
【０１０１】
＜＜４．第３の実施形態＞＞
以上、本開示の第２の実施形態を説明した。続いて、本開示の第３の実施形態を説明する。本開示の第３の実施形態によれば、同一のサブフレームをＡＢＳに設定しているマクロｅＮｏｄｅＢと設定していないマクロｅＮｏｄｅＢが混在する場合に、当該サブフレームの干渉保護状態を、ｅＮｏｄｅＢ１０側でなく、ピコｅＮｏｄｅＢ３０側で判断することが可能である。
【０１０２】
＜４−１．ピコｅＮｏｄｅＢの構成＞
図１６は、本開示の第３の実施形態によるピコｅＮｏｄｅＢ３０の構成を示した説明図である。図１６に示したように、本開示の第３の実施形態によるピコｅＮｏｄｅＢ３０は、アンテナ群３０４と、無線処理部３１０と、ＤＡ／ＡＤ変換部３２０と、デジタル処理部３３０と、Ｘ２通信部３５０と、Ｃｏｎｆｉｇｕｒａｔｉｏｎ保持部３６０と、干渉判断部３７０と、スケジューラ３８０と、測定結果保持部３９０と、を備える。
【０１０３】
（アンテナ群）
アンテナ群３０４は、ＵＥ２０から無線信号を受信して電気的な高周波信号を取得し、高周波信号を無線処理部３１０へ供給する。また、アンテナ群３０４は、無線処理部１１０から供給される高周波信号に基づいて無線信号をＵＥ２０に送信する。ピコｅＮｏｄｅＢ３０は、このように複数のアンテナからなるアンテナ群３０４を備えるため、ＭＩＭＯ通信やダイバーシティ通信を行うことが可能である。
【０１０４】
（無線処理部）
無線処理部３１０は、増幅、フィルタリング、およびダウンコンバージョンなどのアナログ処理を行うことにより、アンテナ群３０４から供給される高周波信号をベースバンド信号（アップリンク信号）に変換する。また、無線処理部３１０は、ＤＡ／ＡＤ変換部３２０から供給されるベースバンド信号（ダウンリンク信号）を高周波信号に変換する。
【０１０５】
（ＤＡ／ＡＤ変換部）
ＤＡ／ＡＤ変換部３２０は、無線処理部３１０から供給されるアナログ形式のアップリンク信号をデジタル形式に変換し、デジタル処理部３３０に供給する。また、ＤＡ／ＡＤ変換部３２０は、デジタル処理部３３０から供給されるデジタル形式のダウンリンク信号をアナログ形式に変換し、無線処理部３１０に供給する。
【０１０６】
（デジタル処理部）
デジタル処理部３３０は、ＤＡ／ＡＤ変換部３２０から供給されるアップリンク信号にデジタル処理を施し、ＰＵＣＣＨのような制御信号や、ＰＵＳＣＨのようなユーザデータを検出する。また、デジタル処理部３３０は、ピコｅＮｏｄｅＢ３０から送信するためのデジタル形式のダウンリンク信号を生成し、ダウンリンク信号をＤＡ／ＡＤ変換部３２０に供給する。このようなデジタル処理部３３０は、ＤＡ／ＡＤ変換部３２０、無線処理部３１０、およびアンテナ群３０４と共に通信部として動作する。
【０１０７】
（Ｘ２通信部）
Ｘ２通信部３５０は、ｅＮｏｄｅＢ１０とＸ２インタフェースを介して通信を行うための構成である。例えば、Ｘ２通信部３５０は、ｅＮｏｄｅＢ１０から、第１の実施形態において説明したように不確定フレームの組合せを規定するＣｏｎｆｉｇｕｒａｔｉｏｎの通知を受信する。
【０１０８】
（Ｃｏｎｆｉｇｕｒａｔｉｏｎ保持部）
Ｃｏｎｆｉｇｕｒａｔｉｏｎ保持部３６０は、Ｘ２通信部３５０によってピコｅＮｏｄｅＢ３０から受信されたＣｏｎｆｉｇｕｒａｔｉｏｎを保持する。このＣｏｎｆｉｇｕｒａｔｉｏｎは、アンテナ群３０４を介してＵＥ２０に送信され、ＵＥ２０は、受信したＣｏｎｆｉｇｕｒａｔｉｏｎに従って信号品質の測定（メジャメント）を行い、測定結果をピコｅＮｏｄｅＢ３０に報告する。
【０１０９】
（測定結果保持部）
測定結果保持部３９０は、上記のようにしてＵＥ２０から報告された測定結果を保持する。なお、測定を行うＵＥ２０は、ピコｅＮｏｄｅＢ３０に属するいずれのＵＥ２０であってもよいし、レンジ拡張エリア内のＵＥ２０であってもよい。
【０１１０】
（干渉判断部）
干渉判断部３７０は、ＵＥ２０による測定結果に基づき、不確定フレームの各々を、干渉から保護されている保護フレームとして扱うか、干渉を受ける非保護フレームとして扱うかを判断する。この点については、図１８および図１９を参照して後述する。
【０１１１】
（スケジューラ）
スケジューラ３８０は、干渉判断部３７０による判断結果、およびＣｏｎｆｉｇｕｒａｔｉｏｎ保持部３６０により保持されているＣｏｎｆｉｇｕｒａｔｉｏｎに従い、ピコｅＮｏｄｅＢ３０に属するＵＥ２０のスケジューリングを行う。例えば、スケジューラ３８０は、レンジ拡張エリア内のＵＥ２０に対しては、保護フレームの通信リソースのみを割り当てる。かかる構成により、レンジ拡張エリア内のＵＥ２０がｅＮｏｄｅＢ１０から干渉を受ける場合を防止することが可能である。
【０１１２】
＜４−２．ＵＥの構成＞
以上、本開示の第３の実施形態によるピコｅＮｏｄｅＢ３０の構成を説明した。続いて、本開示の第３の実施形態によるＵＥ２０の構成を説明する。
【０１１３】
図１７は、本開示の第３の実施形態によるＵＥ２０の構成を示した機能ブロック図である。図１７に示したように、第３の実施形態によるＵＥ２０は、アンテナ群２０４と、無線処理部２１０と、ＤＡ／ＡＤ変換部２２０と、デジタル処理部２３０と、Ｃｏｎｆｉｇｕｒａｔｉｏｎ保持部２６０と、測定管理部２７０と、を備える。
【０１１４】
（アンテナ群）
アンテナ群２０４は、ｅＮｏｄｅＢ１０またはピコｅＮｏｄｅＢ３０から無線信号を受信して電気的な高周波信号を取得し、高周波信号を無線処理部２１０へ供給する。また、アンテナ群２０４は、無線処理部２１０から供給される高周波信号に基づいて無線信号をｅＮｏｄｅＢ１０またはピコｅＮｏｄｅＢ３０に送信する。ＵＥ２０は、このように複数のアンテナからなるアンテナ群２０４を備えるため、ＭＩＭＯ通信やダイバーシティ通信を行うことが可能である。
【０１１５】
（無線処理部）
無線処理部２１０は、増幅、フィルタリング、およびダウンコンバージョンなどのアナログ処理を行うことにより、アンテナ群２０４から供給される高周波信号をベースバンド信号（ダウンリンク信号）に変換する。また、無線処理部２１０は、ＤＡ／ＡＤ変換部２２０から供給されるベースバンド信号（アップリンク信号）を高周波信号に変換する。
【０１１６】
（ＤＡ／ＡＤ変換部）
ＤＡ／ＡＤ変換部２２０は、無線処理部２１０から供給されるアナログ形式のダウンリンク信号をデジタル形式に変換し、デジタル処理部２３０に供給する。また、ＤＡ／ＡＤ変換部２２０は、デジタル処理部２３０から供給されるデジタル形式のアップリンク信号をアナログ形式に変換し、無線処理部２１０に供給する。
【０１１７】
（デジタル処理部）
デジタル処理部２３０は、ＤＡ／ＡＤ変換部２２０から供給されるダウンリンク信号にデジタル処理を施し、ＰＤＣＣＨのような制御信号や、ＰＤＳＣＨのようなユーザデータを検出する。また、デジタル処理部２３０は、ＵＥ２０から送信するためのデジタル形式のアップリンク信号を生成し、アップリンク信号をＤＡ／ＡＤ変換部２２０に供給する。このようなデジタル処理部２３０は、ＤＡ／ＡＤ変換部２２０、無線処理部２１０、およびアンテナ群２０４と共に通信部として動作する。
【０１１８】
（Ｃｏｎｆｉｇｕｒａｔｉｏｎ保持部）
Ｃｏｎｆｉｇｕｒａｔｉｏｎ保持部２６０は、ピコｅＮｏｄｅＢ３０から受信されたＣｏｎｆｉｇｕｒａｔｉｏｎを保持する。なお、このＣｏｎｆｉｇｕｒａｔｉｏｎは、各サブフレームが保護フレーム（ＡＢＳ）、非保護フレーム（Ｎｏｔ  ＡＢＳ）または不確定フレームのいずれであるかを示すものとする。
【０１１９】
（測定管理部）
測定管理部２７０は、Ｃｏｎｆｉｇｕｒａｔｉｏｎ保持部２６０に保持されているＣｏｎｆｉｇｕｒａｔｉｏｎに従って信号品質の測定を管理し、測定結果のピコｅＮｏｄｅＢ３０への報告を制御する。以下、この信号品質の測定についてより詳細に説明する。
【０１２０】
＜４−３．信号品質の測定＞
ＵＥ２０は、Ｃｏｎｆｉｇｕｒａｔｉｏｎによって規定されるサブフレームが保護フレームまたは被保護フレームの２種類である場合、２種類の測定を行えばよい。すなわち、測定管理部２７０は、複数の保護フレームの測定結果を平均化し、複数の被保護フレームの測定結果を平均化し、保護フレームの平均値および非保護フレームの平均値を測定結果としてピコｅＮｏｄｅＢ３０に報告する。
【０１２１】
一方、不確定フレームの各々は、ＡＢＳを設定しているｅＮｏｄｅＢ１０の組合せによって干渉の度合いが異なると考えられるので、全ての不確定フレームの測定結果を平均化することは最適ではない。そこで、測定管理部２７０は、各不確定フレームの測定を独立して行ってもよい。すなわち、測定管理部２７０は、各不確定フレームの測定結果を平均化せずに、各不確定フレームの測定結果をピコｅＮｏｄｅＢ３０に報告してもよい。以下、この点について図１８を参照してより具体的に説明する。
【０１２２】
図１８は、本開示の第３の実施形態による信号品質の測定の具体例を示した説明図である。図１８に示したように、ＵＥ２０は、保護フレームであるサブフレーム＃２、＃６、＃１０において測定を行い（Ａ−１〜Ａ−３）、測定結果の平均値を保護フレームの測定結果として報告する。また、ＵＥ２０は、非保護フレームであるサブフレーム＃１、＃５、＃９において測定を行い（Ｂ−１〜Ｂ−３）、測定結果の平均値を非保護フレームの測定結果として報告する。
【０１２３】
一方、ＵＥ２０は、不確定フレームであるサブフレーム＃３、＃４、＃７、および＃８については測定を独立して行う。すなわち、ＵＥ２０は、不確定フレームであるサブフレーム＃３で測定を行い（Ｃ）、測定結果を他の不確定フレームの測定結果と平均化せずに報告する。なお、ＵＥ２０は、サブフレーム＃３の測定結果を、他の不確定フレームであっても、サブフレーム＃３と周期違いのサブフレーム（例えば、次の無線フレームのサブフレーム＃１）の測定結果と平均化してもよい。
【０１２４】
また、ＵＥ２０は、不確定フレームであるサブフレーム＃４で測定を行い（Ｄ）、測定結果を他の不確定フレームの測定結果と平均化せずに報告する。また、ＵＥ２０は、不確定フレームであるサブフレーム＃７で測定を行い（Ｅ）、測定結果を他の不確定フレームの測定結果と平均化せずに報告する。同様に、ＵＥ２０は、不確定フレームであるサブフレーム＃８で測定を行い（Ｆ）、測定結果を他の不確定フレームの測定結果と平均化せずに報告する。
【０１２５】
ピコｅＮｏｄｅＢ３０は、ＵＥ２０から上述したように不確定フレームごとの測定結果の報告を受けることにより、不確定フレームごとに保護フレームとして扱うか、非保護フレームとして扱うかを適切に判断することが可能となる。
【０１２６】
（応用例）
上記では、全ての不確定フレームを独立して測定する例を説明したが、応用例として、異なる不確定フレームであっても、ＡＢＳを設定しているｅＮｏｄｅＢ１０の組合せが同一である場合には、これら不確定フレームをグループとして扱ってもよい。以下、図１９を参照し、このような応用例について説明する。
【０１２７】
図１９は、信号品質測定の応用例を示した説明図である。より詳細には、図１９には、サービングｅＮｏｄｅＢ１０ＡがＣｏｎｆｉｇｕｒａｔｉｏｎ２を設定し、隣接するｅＮｏｄｅＢ１０Ｂおよび１０Ｃが各々Ｃｏｎｆｉｇｕｒａｔｉｏｎ３および４を設定しており、その結果、サービングｅＮｏｄｅＢ１０ＡからピコｅＮｏｄｅＢ３０にＣｏｎｆｉｇｕｒａｔｉｏｎＹが通知された例を示している。
【０１２８】
ここで、ＣｏｎｆｉｇｕｒａｔｉｏｎＹにおいてサブフレーム＃３、＃４、＃７および＃８は不確定フレームであるが、サブフレーム＃３および＃７には同一のｅＮｏｄｅＢ１０ＢがＡＢＳに設定しており、サブフレーム＃４および＃８には同一のｅＮｏｄｅＢ１０Ａおよび１０ＢがＡＢＳに設定している。このため、サブフレーム＃３および＃７の干渉保護状態は類似し、サブフレーム＃４および＃８の干渉保護状態は類似すると考えられる。
【０１２９】
そこで、ＵＥ２０は、サブフレーム＃３および＃７において測定を行い（Ｃ−１、Ｃ−２）、測定結果の平均値をサブフレーム＃３および＃７からなるグループの測定結果として報告してもよい。同様に、ＵＥ２０は、サブフレーム＃４および＃８において測定を行い（Ｄ−１、Ｄ−２）、測定結果の平均値をサブフレーム＃４および＃８からなるグループの測定結果として報告してもよい。
【０１３０】
なお、サービングｅＮｏｄｅＢ１０は、同一パターンのｅＮｏｄｅＢ１０がＡＢＳに設定している不確定フレームが同一グループを構成するように不確定フレームをグループ化し、グループ化の結果をピコｅＮｏｄｅＢ３０に例えばＲＲＣシグナリングにより通知してもよい。そして、ピコｅＮｏｄｅＢ３０が、不確定フレームのグループ化の結果をＵＥ２０に通知することにより、ＵＥ２０は上記のようにグループごとの測定結果を取得および報告することが可能となる。
【０１３１】
＜４−４．通信システムの動作＞
続いて、図２０を参照し、本開示の第３の実施形態による通信システムの動作を整理する。
【０１３２】
図２０は、本開示の第３の実施形態による通信システムの動作を示したシーケンス図である。図２０に示したように、まず、ｅＮｏｄｅＢ１０が例えば第１の実施形態で説明した干渉判断部１７０によりＣｏｎｆｉｇｕｒａｔｉｏｎを特定すると、ｅＮｏｄｅＢ１０は特定したＣｏｎｆｉｇｕｒａｔｉｏｎをピコｅＮｏｄｅＢ３０に通知する（Ｓ５１０）。そして、ピコｅＮｏｄｅＢ３０は、ｅＮｏｄｅＢ１０から受信したＣｏｎｆｉｇｕｒａｔｉｏｎをＵＥ２０に通知する（Ｓ５２０）。
【０１３３】
その後、ＵＥ２０は、Ｃｏｎｆｉｇｕｒａｔｉｏｎによって規定される各不確定フレームの信号品質の測定結果を取得し（Ｓ５３０）、測定結果をピコｅＮｏｄｅＢ３０に報告する（Ｓ５４０）。
【０１３４】
続いて、ピコｅＮｏｄｅＢ３０の干渉判断部３７０が、報告された測定結果に基づいて各不確定フレームを保護フレームまたは非保護フレームのいずれとして扱うかを判断する（Ｓ５５０）。そして、ピコｅＮｏｄｅＢ３０のスケジューラ３８０が、干渉判断部３７０による判断結果に従ってピコｅＮｏｄｅＢ３０に属するＵＥに対するスケジューリングを行う（Ｓ５６０）。
【０１３５】
＜＜５．むすび＞＞
以上説明したように、本開示の第１の実施形態によれば、複数のｅＮｏｄｅＢ１０の複数のＣｏｎｆｉｇｕｒａｔｉｏｎをピコｅＮｏｄｅＢ３０に通知することなく、サービングｅＮｏｄｅＢ１０から通知される１つのＣｏｎｆｉｇｕｒａｔｉｏｎに基づいてピコｅＮｏｄｅＢ３０が各サブフレームの干渉保護状態を適切に把握することが可能となる。また、隣接する複数のｅＮｏｄｅＢ１０の各々のＡＢＳ設定部１４０が、当該複数のｅＮｏｄｅＢ１０の中心方向に向かうセクタに同一のＣｏｎｆｉｇｕｒａｔｉｏｎを設定することにより、ピコｅＮｏｄｅＢ３０のスループットを向上することができる。
【０１３６】
また、本開示の第２の実施形態によれば、ｅＮｏｄｅＢ１０−２内のピコｅＮｏｄｅＢ３０ごとにＣｏｎｆｉｇｕｒａｔｉｏｎを判断することにより、各ピコｅＮｏｄｅＢ３０に適したＣｏｎｆｉｇｕｒａｔｉｏｎを通知することが可能となる。
【０１３７】
また、本開示の第３の実施形態によれば、同一のサブフレームをＡＢＳに設定しているマクロｅＮｏｄｅＢと設定していないマクロｅＮｏｄｅＢが混在する場合に、当該サブフレームの干渉保護状態を、ｅＮｏｄｅＢ１０側でなく、ピコｅＮｏｄｅＢ３０側で判断することが可能である。
【０１３８】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３９】
例えば、本明細書のｅＮｏｄｅＢ１０およびピコｅＮｏｄｅＢ３０の処理における各ステップは、必ずしもシーケンス図またはフローチャートとして記載された順序に沿って時系列に処理する必要はない。例えば、ｅＮｏｄｅＢ１０およびピコｅＮｏｄｅＢ３０の処理における各ステップは、フローチャートとして記載した順序と異なる順序で処理されても、並列的に処理されてもよい。
【０１４０】
また、ｅＮｏｄｅＢ１０、ＵＥ２０、およびピコｅＮｏｄｅＢ３０に内蔵されるＣＰＵ、ＲＯＭおよびＲＡＭなどのハードウェアを、上述したｅＮｏｄｅＢ１０、ＵＥ２０、およびピコｅＮｏｄｅＢ３０の各構成と同等の機能を発揮させるためのコンピュータプログラムも作成可能である。また、該コンピュータプログラムを記憶させた記憶媒体も提供される。
【０１４１】
また、以下のような構成も本開示の技術的範囲に属する。
（１）
基地局であって、
通信フレームのうちで、リファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
を備える、基地局。
（２）
前記判断部は、
前記基地局および前記隣接基地局のいずれによっても前記送信制限フレームに設定されている通信フレームを保護フレームと判断し、
前記基地局および前記隣接基地局のいずれによっても前記送信制限フレームに設定されていない通信フレームを非保護フレームと判断する、前記（１）に記載の基地局。
（３）
前記判断部は、
前記基地局により前記送信制限フレームに設定されている通信フレームを、前記送信制限フレームに設定していない隣接基地局が存在する場合、当該通信フレームを不確定フレームと判断する、前記（１）または（２）のいずれか一項に記載の基地局。
（４）
前記判断部は、
前記基地局または前記隣接基地局のいずれかにより前記送信制限フレームに設定されている通信フレームを、前記送信制限フレームに設定していない前記基地局または前記隣接基地局が存在する場合、当該通信フレームを不確定フレームと判断する、前記（１）または（２）のいずれか一項に記載の基地局。
（５）
前記判断部は、前記基地局により前記送信制限フレームに設定されており、前記隣接基地局によって送信制限フレームに設定されていない非統一な通信フレームの干渉保護状態を、前記基地局より送信電力が低く、前記セル内に配置される低送信電力型の基地局の位置情報に基づいて判断する、前記（１）または（２）のいずれか一項に記載の基地局。
（６）
前記判断部は、前記低送信電力型の基地局が前記基地局から所定範囲内に存在する場合、前記非統一な通信フレームを保護フレームと判断する、前記（５）に記載の基地局。
（７）
前記判断部は、前記低送信電力型の基地局が前記基地局から所定範囲外に存在する場合、前記非統一な通信フレームを非保護フレームまたは不確定フレームと判断する、前記（５）または（６）に記載の基地局。
（８）
前記判断部による判断結果を、前記基地局より送信電力が低く、前記セル内に配置される低送信電力型の基地局に通知する通知部をさらに備える、前記（１）〜（７）のいずれか一項に記載の基地局。
（９）
通信フレームのうちで、基地局からのリファレンス信号以外の送信が制限される送信制限フレームを設定することと、
隣接基地局の送信制限フレームの設定情報を受信することと、
前記基地局に設定された送信制限フレームと、前記隣接基地局の送信制限フレームに基づいて、前記基地局が提供するセルにおける各通信フレームの干渉保護状態を判断することと、
を含む、通信方法。
（１０）
コンピュータを、
通信フレームのうちで、基地局からリファレンス信号以外の送信が制限される送信制限フレームを設定する設定部と、
隣接基地局の送信制限フレームの設定情報を受信する設定情報受信部と、
前記設定部により設定された送信制限フレームと、前記隣接基地局の送信制限フレームに基づいて、前記基地局が提供するセルにおける各通信フレームの干渉保護状態を判断する判断部と、
として機能させるための、プログラム。
【符号の説明】
【０１４２】
２０    ＵＥ
１０４、２０４、３０４  アンテナ群
１１０、２１０、３１０  無線処理部
１２０、２２０、３２０  ＤＡ変換部
１３０、２３０、３３０  デジタル処理部
１４０  ＡＢＳ設定部
１５０、３５０  Ｘ２通信部
１６０、２６０、３６０  Ｃｏｎｆｉｇｕｒａｔｉｏｎ保持部
１７０、１７２、３７０  干渉判断部
１８０  位置情報保持部
２７０  測定管理部
３８０  スケジューラ
３９０  測定結果保持部
【図１】
0005842608.tif 000002
【図２】
0005842608.tif 000003
【図３】
0005842608.tif 000004
【図４】
0005842608.tif 000005
【図５】
0005842608.tif 000006
【図６】
0005842608.tif 000007
【図７】
0005842608.tif 000008
【図８】
0005842608.tif 000009
【図９】
0005842608.tif 000010
【図１０】
0005842608.tif 000011
【図１１】
0005842608.tif 000012
【図１２】
0005842608.tif 000013
【図１３】
0005842608.tif 000014
【図１４】
0005842608.tif 000015
【図１５】
0005842608.tif 000016
【図１６】
0005842608.tif 000017
【図１７】
0005842608.tif 000018
【図１８】
0005842608.tif 000019
【図１９】
0005842608.tif 000020
【図２０】
0005842608.tif 000021